(57)【要約】  【課題】悪臭や害虫等の発生を抑制できる排水浄化装置を提供する。  【解決手段】排水浄化装置１は、排水を貯留する貯留槽２と、貯留槽２内に位置する水中ポンプ21とを備える。水中ポンプ21には、吸込口部22，23を有する吸込側配管24および吐出口部26を有する吐出側配管27を接続する。吐出側配管27の途中には、界面活性機能を有するセラミック31を設ける。水中ポンプ21の作動時には、浮上油および排水がセラミック31と接触して乳化水溶液となる。  【選択図】図１
0003113515.tif 000002
【実用新案登録請求の範囲】
【請求項１】
排水が貯留される貯留槽と、
この貯留槽内に位置する水中ポンプと、
この水中ポンプに接続され、吸込口部を有する吸込側配管と、
前記水中ポンプに接続され、吐出口部を有する吐出側配管と、
この吐出側配管の途中に設けられ、浮上油および排水と接触してこれら浮上油および排水を乳化水溶液にする界面活性機能を有するセラミックとを備え、
前記水中ポンプの作動時には、浮上油が排水とともに前記吸込口部から吸い込まれ、この吸い込まれた浮上油および排水が前記セラミックと接触して乳化水溶液となって前記吐出口部から吐き出される
ことを特徴とする排水浄化装置。
【請求項２】
水中ポンプの作動を制御するポンプ制御手段を備える
ことを特徴とする請求項１記載の排水浄化装置。
【考案の詳細な説明】
【技術分野】
【０００１】
本考案は、排水中の油脂分等を除去する排水浄化装置に関するものである。
【背景技術】
【０００２】
例えばレストラン、食堂、ラーメン屋、弁当惣菜店、食品工場、デパートおよびスーパー等における業務用厨房からでる排水（厨房排水）には多量の油脂分が含まれ、この油脂分を適切に除去しないでいると、下水道管内に油がこびりつき、管詰まりや悪臭等の発生原因となる。このため、旧建設省（現国土交通省）の告示第１５９７号により、業務用厨房には、排水中の油脂分を除去する排水浄化装置であるグリーストラップ（阻集器）を設置することが義務付けられている。そして、例えばグリーストラップの浮上槽部（第２槽部）内には油回収手段（オイルスキマー）が配設され、この油回収手段で浮上槽部内の排水の水面に浮んだ浮上油を回収するようにしている（例えば、特許文献１参照）。
【特許文献１】特開２０００−１５３２６９号公報
【考案の開示】
【考案が解決しようとする課題】
【０００３】
しかしながら、上記従来の排水浄化装置では、浮上槽部内での油回収手段による浮上油の回収が不十分となり、悪臭や害虫等が発生するおそれがある。
【０００４】
本考案は、このような点に鑑みなされたもので、悪臭や害虫等の発生を抑制でき、しかも、バイオ方式等に比べてランニングコストを安くでき、さらに排水負荷の軽減を図ることができる排水浄化装置を提供することを目的とする。
【課題を解決するための手段】
【０００５】
請求項１記載の排水浄化装置は、排水が貯留される貯留槽と、この貯留槽内に位置する水中ポンプと、この水中ポンプに接続され、吸込口部を有する吸込側配管と、前記水中ポンプに接続され、吐出口部を有する吐出側配管と、この吐出側配管の途中に設けられ、浮上油および排水と接触してこれら浮上油および排水を乳化水溶液にする界面活性機能を有するセラミックとを備え、前記水中ポンプの作動時には、浮上油が排水とともに前記吸込口部から吸い込まれ、この吸い込まれた浮上油および排水が前記セラミックと接触して乳化水溶液となって前記吐出口部から吐き出されるものである。
【０００６】
請求項２記載の排水浄化装置は、請求項１記載の排水浄化装置において、水中ポンプの作動を制御するポンプ制御手段を備えるものである。
【考案の効果】
【０００７】
本考案によれば、水中ポンプの作動時には、浮上油が排水とともに吸込口部から吸い込まれ、この吸い込まれた浮上油および排水が界面活性機能を有するセラミックと接触して乳化水溶液となって吐出口部から吐き出されるため、悪臭や害虫等の発生を抑制でき、しかも、バイオ方式等に比べてランニングコストを安くでき、さらに排水負荷の軽減を図ることができる。
【考案を実施するための最良の形態】
【０００８】
本考案の一実施の形態に係る排水浄化装置を図面を参照して説明する。
【０００９】
図１および図２において、１は業務用厨房の床下に設置された排水浄化装置であるグリーストラップで、このグリーストラップ１は、油脂分を多く含んだ排水が下水道管内に流れ込まないように、業務用厨房からの排水中の油脂分およびごみ等を除去するものである。
【００１０】
グリーストラップ１は、業務用厨房からの排水が貯留される貯留槽２を備えている。貯留槽２は、２枚の仕切板４，５で仕切られた３つの槽部、すなわち上流から下流に向って順に、第１槽部11、第２槽部12および第３槽部13を有している。
【００１１】
第１槽部11では、排水中の固形物であるごみがバケット14にて除去される。第２槽部12では、排水の流速がコントロールされ、排水中の油脂分が浮上分離により除去される。第３槽部13では、下水ガス等が逆流しない状態で処理後の排水がトラップ管等の排水管15から排出される。
【００１２】
そして、貯留槽２内、つまり浮上槽部である第２槽部12内には、水中ポンプ21が設けられている。
【００１３】
水中ポンプ21には、第２槽部12内で上方に向って開口し第２槽部12内の排水の水面と略同じ高さに位置する複数、例えば２つの吸込口部22と第３槽部13内で上方に向って開口し第３槽部13内の排水の水面と略同じ高さに位置する例えば１つの吸込口部23とを先端に有する吸込側配管24が接続されている。水中ポンプ21には、第２槽部12内で下方に向って開口し第２槽部12内の排水の水面より高い所に位置する例えば１つの吐出口部26を先端に有する吐出側配管27が接続されている。
【００１４】
また、吐出側配管27の途中には、吐出側配管27を流れる浮上油および排水と接触してこれら浮上油および排水を乳化水溶液にする界面活性機能を有するセラミック31が設けられている。すなわち例えば吐出側配管27の途中には、吐出側配管27に対して脱着可能なセラミック収容体である略円筒状の筒状体（カートリッジ）32が装着され、この筒状体32内に界面活性機能を有するセラミック31が収容されている。セラミック31は、例えば活性化石炭等を利用してつくったものである。
【００１５】
さらに、水中ポンプ21には、この水中ポンプ21の作動を制御するポンプ制御手段（コントロールボックス）33が電気的に接続されている。そして、このポンプ制御手段33の制御による水中ポンプ21の作動時には、第２槽部12内および第３槽部13内で排水の水面に浮んだ浮上油が排水とともに吸込側配管24の吸込口部22，23から吸い込まれ、この吸い込まれた浮上油および排水が筒状体32内の界面活性機能を有するセラミック31と接触して乳化水溶液となって第２槽部12内で吐出側配管27の吐出口部26から吐き出される。水中ポンプ21は、例えばポンプ制御手段33のタイマ機能により予め設定された設定時間だけ作動するようになっている。
【００１６】
次に、上記一実施の形態の作用等を説明する。
【００１７】
業務用厨房からの排水は、第１槽部11内に導入され、その排水中のごみがバケット14にて分離除去される。その後、排水は、仕切板４の下方から第２槽部12内に入り、その排水中の油脂分が浮上分離により除去されて浮上油となる。また、第３槽部13内では、仕切板５の下方から第３槽部13内に入った排水中の第２槽部12内で除去されなかった油脂分が浮上分離により除去され、浮上油となる。
【００１８】
ここで、ポンプ制御手段33の制御により水中ポンプ21が作動すると、排水の水面に浮んだ浮上油が排水とともに吸込口部22，23から吸い込まれる。この吸い込まれた浮上油および排水は、筒状体32内の界面活性機能を有するセラミック31と接触し、触媒作用、物理的現象および界面活性機能作用等によって乳化水溶液（乳濁液）となって、吐出口部26から吐き出される。なお、水中ポンプ21は、ポンプ制御手段33のタイマ機能により設定時間だけ作動し、その間、乳化水溶液が貯留槽２内を循環する。
【００１９】
そして、乳化水溶液（乳濁液）は、新たに第１槽部11内に導入され油脂分およびごみ等が除去された排水によって希釈されて排水管15から下水放流として排出される。
【００２０】
このように上記一実施の形態によれば、水中ポンプ21の作動時には、浮上油が排水とともに吸込口部22，23から吸い込まれ、この吸い込まれた浮上油および排水がセラミック31と接触して乳化水溶液となって吐出口部26から吐き出されるため、悪臭や害虫等の発生を抑制でき、しかも、バイオ方式等に比べてランニングコストを安くでき、さらには下水道管内での排水負荷の軽減を図ることができ、配管詰まり等も防止できる。
【００２１】
例えば水中ポンプ21を一定時間作動させることにより、油４６０ｃｃおよび水４６ｌを貯留槽２内で循環させたら、ノルマルヘキサン抽出物質が８５００００ｍｇ／ｌから１１００ｍｇ／ｌに減少した。
【００２２】
なお、吸込側配管・吐出側配管の形状や、吸込口部・吐出口部の数等は任意である。
【００２３】
また、セラミックを収容する筒状体等のセラミック収容体の形状等は、略円筒状に限定されず、任意である。
【図面の簡単な説明】
【００２４】
【図１】本考案の一実施の形態に係る排水浄化装置の側面視概略図である。
【図２】同上排水浄化装置の平面視概略図である。
【符号の説明】
【００２５】
１    排水浄化装置であるグリーストラップ
２    貯留槽
21    水中ポンプ
22，23    吸込口部
24    吸込側配管
26    吐出口部
27    吐出側配管
31    セラミック
33    ポンプ制御手段
【図１】
0003113515.tif 000003
【図２】
0003113515.tif 000004